(57)【要約】【課題】部品点数及びコストの増大を抑制できるとともに、ノイズ耐性の高い電池状態監視システムを提供する。【解決手段】複数の電池セルから構成される組電池の状態を監視する監視ＩＣ２１ａ〜ｄをそれぞれ搭載した複数の監視基板２０ａ〜ｄと、監視ＩＣ２１ａ〜ｄにより監視された各組電池の状態を受信して各組電池に対する制御指令を監視ＩＣ２１ａへ送信する制御マイコン１１、を搭載した制御基板１０と、複数の監視ＩＣ２１ａ〜ｄ及び制御マイコン１１のうち互いに異なる２つの回路に接続され、それら２つの回路の間でシリアル信号を伝達するフォトカプラ３１，３２，３３ａ〜ｃと、を備える。フォトカプラ３１，３２，３３ａ〜ｃは、互いに異なる２つの回路を搭載した基板のうち、受信側となる回路を搭載した基板に設置されている。【選択図】      図１
2015079649.tif 000002
【特許請求の範囲】
【請求項１】
複数の電池セルから構成される組電池（５０）の状態を監視する監視回路（２１ａ〜ｄ）をそれぞれ搭載した複数の監視基板（２０ａ〜ｄ）と、
前記監視回路により監視された各組電池の状態を受信して各組電池に対する制御指令を前記監視回路へ送信する制御回路（１１）、を搭載した制御基板（１０）と、
複数の前記監視回路及び前記制御回路のうち互いに異なる２つの回路に接続され、それら２つの回路の間でシリアル信号を伝達する絶縁素子であって、出力側に比べて入力側に電流を多く流す絶縁素子（３１，３２，３３ａ〜ｃ，３４ａ〜ｄ，３５ａ〜ｄ）と、を備え、
前記絶縁素子は、前記互いに異なる２つの回路を搭載した基板のうち、受信側となる回路を搭載した基板に設置されていることを特徴とする電池状態監視システム。
【請求項２】
前記複数の監視基板は、第１監視基板（２０ａ）及び第２監視基板（２０ｄ）を含み、
前記絶縁素子は、前記第１監視基板に搭載された監視回路と前記制御基板に搭載された制御回路とを接続する第１絶縁素子（３１）と、前記第２監視基板に搭載された監視回路と前記制御基板に搭載された制御回路とを接続する第２絶縁素子（３２）とを含み、
前記第１監視基板に搭載された監視回路から前記第２監視基板に搭載された監視回路まで、順次隣接する前記監視基板に搭載された監視回路へシリアル信号が送信され、
前記制御基板に搭載された制御回路は、前記第１監視基板に設置された前記第１絶縁素子を介して、シリアル信号を前記第１監視基板に搭載された監視回路へ送信し、
前記第２監視基板に搭載された監視回路は、前記制御基板に設置された前記第２絶縁素子を介して、シリアル信号を前記制御基板に搭載された制御回路へ送信する請求項１に記載の電池状態監視システム。
【請求項３】
前記絶縁素子は、隣接する２つの前記監視基板に搭載された監視回路を接続する第３絶縁素子（３３ａ〜ｃ）を含み、
前記第１監視基板に搭載された監視回路から前記第２監視基板に搭載された監視回路まで、順次隣接する前記監視基板に設置された前記第３絶縁素子を介して、シリアル信号を隣接する前記監視基板に搭載された監視回路へ送信する請求項２に記載の電池状態監視システム。
【請求項４】
前記絶縁素子は、各監視基板に設置されて前記制御基板に搭載された制御回路と各監視基板に搭載された監視回路とをそれぞれ接続する第１絶縁素子（３４ａ〜ｄ）と、前記制御基板に設置されて前記制御基板に搭載された制御回路と各監視基板に搭載された監視回路とをそれぞれ接続する第２絶縁素子（３５ａ〜ｄ）とを含み、
前記制御基板に搭載された制御回路は、前記第１絶縁素子を介して、各監視基板に搭載された監視回路へシリアル信号を送信し、
各監視基板に搭載された監視回路は、各監視回路に対応する前記第２絶縁素子を介して、前記制御基板に搭載された制御回路へシリアル信号を送信する請求項１に記載の電池状態監視システム。
【請求項５】
前記絶縁素子は、フォトカプラである請求項１〜４のいずれかに記載の電池状態監視システム。
【発明の詳細な説明】
【技術分野】
【０００１】
本発明は、複数の電池セルから構成される組電池の状態を監視する電池状態監視システムに関する。
【背景技術】
【０００２】
近年、複数の電池セルを直列接続して組電池を構成した高電圧のバッテリが提案されている。このような高電圧バッテリでは、充放電を繰り返すうちに、各電池セルの劣化度合いにばらつきが生じる。そこで、組電池を構成する複数の電池セルの状態をそれぞれ監視して、各電池セルを保護している。
【０００３】
例えば、特許文献１では、複数の電池セルを直列接続した組電池を複数構成し、組電池ごとに、対応する組電池の各電池セルのセル電圧及びセル電流を検出する監視ユニットを備えている。さらに、監視ユニットで取得された電池状態の情報に基づいて、電池セルそれぞれが異常か否か判定する電池ＥＣＵを備えている。
【先行技術文献】
【特許文献】
【０００４】
【特許文献１】特開２０１２−８３１２３号公報
【発明の概要】
【発明が解決しようとする課題】
【０００５】
特許文献１では、監視ユニットと電池ＥＣＵとは、ＣＡＮ通信を介して接続されている。ＣＡＮ通信は、ノイズ耐性が高いが、ＣＡＮの通信コントローラを内蔵したＣＡＮマイコンやトランシーバＩＣ等の高価な部品が必要となる。そのため、監視ユニットと電池ＥＣＵとをＣＡＮ通信で接続すると、部品点数が多くなるとともに、コストが増加するという問題がある。
【０００６】
本発明は、上記実情に鑑み、部品点数及びコストの増大を抑制できるとともに、ノイズ耐性の高い電池状態監視システムを提供することを主たる目的とする。
【課題を解決するための手段】
【０００７】
上記課題を解決するため、本発明は電池状態監視システムであって、複数の電池セルから構成される組電池の状態を監視する監視回路をそれぞれ搭載した複数の監視基板と、前記監視回路により監視された各組電池の状態を受信して各組電池に対する制御指令を前記監視回路へ送信する制御回路、を搭載した制御基板と、複数の前記監視回路及び前記制御回路のうち互いに異なる２つの回路に接続され、それら２つの回路の間でシリアル信号を伝達する絶縁素子であって、出力側に比べて入力側に電流を多く流す絶縁素子と、を備え、前記絶縁素子は、前記互いに異なる２つの回路を搭載した基板のうち、受信側となる回路を搭載した基板に設置されている。
【０００８】
本発明によれば、複数の監視回路及び制御回路のうち、互いに異なる２つの回路間で、絶縁素子によりシリアル通信が行われる。絶縁素子を用いた通信では、他の部品を用いることなく、入力された信号を出力側に伝達することができる。よって、異なる２つの回路間で、絶縁素子を用いてシリアル通信を行うことにより、部品点数、基板面積及びコストの増大を抑制できる。
【０００９】
また、受信側となる回路を搭載した基板に出力側に比べて入力側に電流を多く流す絶縁素子を設置することにより、大きな電流が流れる入力側、すなわち送信側の配線が２つの基板を跨いで長くなるとともに、小さな電流が流れる出力側、すなわち受信側の配線は短くなる。一般に、ノイズは、配線が長いほど混入しやすいとともに、基板間で混入しやすい。そのため、大きな電流が流れる入力側の配線を長くして異なる基板を跨がせることにより、ノイズに対する耐性を高くできる。このため、入力側の基板で発生したノイズが、出力側の基板へ伝達されることを抑制できる。したがって、部品点数、基板面積及びコストの増大を抑制できるとともに、ノイズ耐性を高くできる。
【００１０】
さらに、絶縁素子を用いることで、接続した２つの回路の基準電位が異なっていても、回路間でシリアル通信を行うことができる。
【００１１】
また、絶縁素子にフォトカプラを適用すると、２つの基板を跨ぐ電源用の配線を削減できる。フォトカプラの受信側は電源が必要であるのに対して、送信側は電源が不要である。そのため、受信側となる回路が搭載された基板にフォトカプラを設置することにより、送信側となる回路が搭載された基板にフォトカプラを設置する場合と比較して、２つの基板を跨ぐ電源用の配線を削減できる。
【図面の簡単な説明】
【００１２】
【図１】第１実施形態に係る電池状態監視システムの構成を示す図。
【図２】第２実施形態に係る電池状態監視システムの構成を示す図。
【発明を実施するための形態】
【００１３】
以下、電池状態監視システムを具現化した各実施形態について、図面を参照しつつ説明する。以下の各実施形態相互において、互いに同一もしくは均等である部分には、図中、同一符号を付しており、同一符号の部分についてはその説明を援用する。
【００１４】
（第１実施形態）
まず、図１を参照して、第１実施形態に係る電池状態監視システムの構成について説明する。本実施形態に係る電池状態監視システムは、制御基板１０、及び監視基板２０ａ〜ｄ、フォトカプラ３１，３２，３３ａ〜ｃ（絶縁素子）を備え、バッテリ５０の状態を監視するシステムである。なお、矢印は配線を示しており、破線の矢印はフォトカプラ３１，３２，３３ａ〜ｃへの電源用の配線を示している。
【００１５】
バッテリ５０は、複数の組電池が互いに直列接続されて構成された高圧バッテリである。各組電池は、互いに直列接続された複数の電池セルから構成されている。バッテリ５０として、例えば、リチウムイオン電池が採用される。
【００１６】
監視基板２０ａ〜ｄには、監視ＩＣ２１ａ〜ｄ（監視回路）、均等化回路２２ａ〜ｄが搭載されている。監視基板２０ａ〜ｄは、バッテリ５０から電源の供給を受けて高電圧部になっている。
【００１７】
監視ＩＣ２１ａ〜ｄは、図示しないマルチプレクサ回路及びフライングキャパシタ回路を備え、各組電池に含まれる複数の電池セルの状態、詳しくは電池セルのセル電圧を監視する。マルチプレクサ回路は、各組電池に含まれる複数の電池セルのそれぞれの正極側に接続される正極側スイッチと、電池セルのそれぞれの負極側に接続される負極側スイッチとを備え、各組電池に含まれるいずれかの電池セルとフライングキャパシタ回路とを接続する。フライングキャパシタ回路は、マルチプレクサ回路により選択された電池セルのセル電圧を検出する。マルチプレクサ回路の正極側スイッチ及び負極側スイッチを順次操作することにより、各組電池に含まれる複数の電池セルのセル電圧が順次検出される。
【００１８】
均等化回路２２ａ〜ｄは、各組電池に含まれる複数の電池セルのそれぞれの正電極端子と負電極端子とを、短絡させる放電スイッチから構成される。放電スイッチは、制御基板１０に搭載された制御マイコン１１からの電池セル放電指令に基づいて、それぞれ独立して開閉動作が行われる。放電スイッチが閉状態になると、その放電スイッチに両端が接続された電池セルが放電され、その電池セルのセル電圧が低下する。これにより、各電池セルのセル電圧が均等化される。
【００１９】
制御基板１０には、制御マイコン１１が搭載されている。制御マイコン１１は、メモリに記憶されたプログラムに従って所定の機能を実行する制御回路である。制御基板１０は、図示しない低電圧系の電源と接続されており、低電圧部になっている。制御マイコン１１は、監視ＩＣ２１ａ〜ｄにより監視された各組電池の状態を受信するともに、各組電池に対する制御指令を監視ＩＣ２１ａへ送信する。詳しくは、制御マイコン１１は、監視ＩＣ２１ａ〜ｄにより検出される各電池セルのセル電圧を送信する指令を、監視ＩＣ２１ａへ送信する。さらに、制御マイコン１１は、受信した各電池セルのセル電圧に基づいて、放電が必要な電池セルの有無を判定する。そして、制御マイコン１１は、放電が必要な電池セルがあると判定した場合、電池セル放電指令を監視ＩＣ２１ａへ送信する。電池セル放電指令には、放電対象の電池セルを示す電池セル指定情報が含まれる。なお、制御マイコン１１と監視ＩＣ２１ａ〜ｄとの間における、情報の送受信については後で詳しく述べる。
【００２０】
フォトカプラ３１，３２，３３ａ〜ｃは、４つの監視ＩＣ２１ａ〜ｄ及び制御マイコン１１のうち、互いに異なる２つの回路に接続され、それら２つの回路の基準電位に関わらず、それら２つの回路間でシリアル信号を伝達する。また、フォトカプラ３１，３２，３３ａ〜ｃは、送信側の回路と受信側の回路とで絶縁された通信を実現する。
【００２１】
フォトカプラ３１（第１絶縁素子）は、監視基板２０ａ（第１監視基板）に設置されており、監視ＩＣ２１ａと制御マイコン１１とを接続する。詳しくは、フォトカプラ３１の発光側すなわち入力側が制御マイコン１１に接続され、フォトカプラ３１の受光側すなわち出力側が監視ＩＣ２１ａに接続されている。制御マイコン１１は、フォトカプラ３１を介して、監視ＩＣ２１ａへシリアル信号を送信する。
【００２２】
フォトカプラ３２（第２絶縁素子）は、制御基板１０に設置されており、監視基板２０ｄ（第２監視基板）に搭載された監視ＩＣ２１ｄと制御マイコン１１とを接続する。詳しくは、フォトカプラ３１の発光側が監視ＩＣ２１ｄに接続され、フォトカプラ３１の受光側が制御マイコン１１に接続されている。監視ＩＣ２１ｄは、フォトカプラ３２を介して、制御マイコン１１へシリアル信号を送信する。
【００２３】
よって、低電圧部の制御マイコン１１と高電圧部の監視ＩＣ２１ａ，２１ｄとの間において、フォトカプラ３１，３２を介してシリアル通信が行われるため、低電圧部と高電圧部とが絶縁される。
【００２４】
また、フォトカプラ３３ａ〜ｃ（第３絶縁素子）は、それぞれ隣接する２つの監視基板に搭載された監視ＩＣを接続する。具体的には、フォトカプラ３３ａは、監視基板２０ｂに設置されており、隣接する監視基板２０ａ及び２０ｂに搭載された監視ＩＣ２１ａと２１ｂとを接続する。詳しくは、フォトカプラ３３ａの発光側が監視ＩＣ２１ａに接続され、フォトカプラ３３ａの受光側が監視ＩＣ２１ｂに接続されている。監視ＩＣ２１ａは、フォトカプラ３３ａを介して、監視ＩＣ２１ｂへシリアル信号を送信する。
【００２５】
フォトカプラ３３ｂは、監視基板２０ｃに設置されており、隣接する監視基板２０ｂ及び２０ｃに搭載された監視ＩＣ２１ｂと２１ｃとを接続する。詳しくは、フォトカプラ３３ｂの発光側が監視ＩＣ２１ｂに接続され、フォトカプラ３３ｂの受光側が監視ＩＣ２１ｃに接続されている。監視ＩＣ２１ｂは、フォトカプラ３３ｂを介して、監視ＩＣ２１ｃへシリアル信号を送信する。
【００２６】
フォトカプラ３３ｃは、監視基板２０ｄに設置されており、隣接する監視基板２０ｃ及び２０ｄに搭載された監視ＩＣ２１ｃと２１ｄとを接続する。詳しくは、フォトカプラ３３ｃの発光側が監視ＩＣ２１ｃに接続され、フォトカプラ３３ｃの受光側が監視ＩＣ２１ｄに接続されている。監視ＩＣ２１ｃは、フォトカプラ３３ｃを介して、監視ＩＣ２１ｄへシリアル信号を送信する。
【００２７】
よって、本実施形態では、監視基板２０ａ〜ｄに搭載された監視ＩＣ２１ａ〜ｄと制御基板１０に搭載された制御マイコン１１とで、リング型の通信経路が形成されている。
【００２８】
フォトカプラ３１，３２，３３ａ〜ｃは、それぞれが接続する互いに異なる２つの回路を搭載した基板のうち、受信側となる回路を搭載した基板に設置されている。そのため、大きな電流が流れる送信側の配線が２つの基板を跨いで長くなり、小さな電流が流れる受信側の配線が短くなる。そのため、ノイズに対する耐性が向上する。
【００２９】
また、フォトカプラ３１，３２，３３ａ〜ｃは、入力側の発光ダイオードには電源が必要ないのに対して、出力側のフォトトランジスタには電源が必要である。フォトカプラ３１，３２，３３ａ〜ｃを受信側の回路を搭載した基板に設置することにより、フォトカプラ３１，３２，３３ａ〜ｃの電源用配線が、２つの基板を跨がない。
【００３０】
制御マイコン１１が、監視ＩＣ２１ａへフォトカプラ３１を介して電圧送信指令を送信すると、監視ＩＣ２１ａから監視ＩＣ２１ｄまで、順次電圧送信指令が送信される。詳しくは、監視ＩＣ２１ａから監視ＩＣ２１ｄまで、順次隣接する監視基板２０ｂ〜ｄに設置されたフォトカプラ３３ａ〜ｃを介して、隣接する監視基板２０ｂ〜ｄに搭載された監視ＩＣへ電圧送信指令が送信される。
【００３１】
監視ＩＣ２１ａ〜ｄは、電圧送信指令を受信すると、それぞれが監視している組電池に含まれる複数の電池セルのセル電圧情報を、制御マイコン１１へ向けて送信する。監視ＩＣ２１ａは、監視ＩＣ２１ｂ〜ｄ及びフォトカプラ３３ａ〜ｃ，３２を介して、制御マイコン１１へセル電圧情報を送信する。監視ＩＣ２１ｂは、監視ＩＣ２１ｃ〜ｄ及びフォトカプラ３３ｂ〜ｃ，３２を介して、制御マイコン１１へセル電圧情報を送信する。監視ＩＣ２１ｃは、監視ＩＣ２１ｄ及びフォトカプラ３３ｃ，３２を介して、制御マイコン１１へセル電圧情報を送信する。監視ＩＣ２１ｄは、フォトカプラ３２を介して、制御マイコン１１へセル電圧情報を送信する。
【００３２】
また、制御マイコン１１が電池セル放電指令を送信すると、電池セル放電指令に含まれる電池セル指定情報に基づいて、制御マイコン１１から放電対象の電池セルを監視する監視ＩＣまで、電池セル放電指令が伝達される。
【００３３】
以上説明した第１実施形態によれば、以下の効果を奏する。
【００３４】
・互いに異なる２つの回路間で、フォトカプラを用いてシリアル通信を行うことにより、部品点数、基板面積及びコストの増大を抑制できる。また、大きな電流が流れるフォトカプラの入力側の配線を長くして異なる基板を跨がせることにより、ノイズに対する耐性を高くできる。このため、入力側の基板で発生したノイズが、出力側の基板へ伝達されることを抑制できる。したがって、部品点数、基板面積及びコストの増大を抑制できるとともに、ノイズ耐性を高くできる。
【００３５】
・受信側となる回路が搭載された基板にフォトカプラを設置することにより、送信側となる回路が搭載された基板にフォトカプラを設置する場合と比較して、２つの基板を跨ぐ電源用の配線を削減できる。
【００３６】
・フォトカプラを用いることで、接続した２つの回路の基準電位が異なっていても、回路間でシリアル通信を行うことができる。
【００３７】
・フォトカプラ３１，３２を用いて、制御基板１０に搭載された制御マイコン１１と監視基板２０ａ，ｄに搭載された監視ＩＣ２１ａ，ｄとの間で、シリアル信号の送受信を行うことにより、少ない部品点数且つ低コストで、低電圧部と高電圧部間の絶縁された通信を実現できる。
【００３８】
・受信側の配線が短いため、小さな電流が流れる受信側の配線にノイズが混入することを抑制できる。
【００３９】
（第２実施形態）
次に、図２を参照して、第２実施形態に係る電池状態監視システムについて、第１実施形態に係る電池状態監視システムと異なる点について説明する。第２実施形態では、制御マイコン１１と監視ＩＣ２１ａ〜ｄとの通信経路が、第１実施形態のリング型通信経路と異なる。
【００４０】
フォトカプラ３４ａ〜ｄ（第１絶縁素子）は、監視基板２０ａ〜ｄに設置されており、制御マイコン１１と監視ＩＣ２１ａ〜ｄとをそれぞれ接続する。詳しくは、フォトカプラ３４ａ〜ｄの発光側が制御マイコン１１に接続され、フォトカプラ３４ａ〜ｄの受光側が監視ＩＣ２１ａ〜ｄに接続されている。制御マイコン１１は、フォトカプラ３４ａ〜ｄを介して、監視ＩＣ２１ａ〜ｄのそれぞれへシリアル信号を送信する。
【００４１】
フォトカプラ３５ａ〜ｄ（第２絶縁素子）は、制御基板１０に設置されており、制御マイコン１１と監視ＩＣ２１ａ〜ｄとをそれぞれ接続する。詳しくは、フォトカプラ３５ａ〜ｄの発光側が監視ＩＣ２１ａ〜ｄに接続され、フォトカプラ３５ａ〜ｄの受光側が制御マイコン１１に接続されている。監視ＩＣ２１ａ〜ｄは、それぞれに対応するフォトカプラ３５ａ〜ｄを介して、制御マイコン１１へシリアル信号を送信する。
【００４２】
制御マイコン１１から監視ＩＣ２１ａ〜ｄへの送信線は、１本の送信線が途中で枝分かれして各監視ＩＣ２１ａ〜ｄに接続されている。すなわち、制御マイコン１１から監視ＩＣ２１ａ〜ｄへの送信経路は、バス型の送信経路になっている。そのため、制御マイコン１１から監視ＩＣ２１ａ〜ｄのそれぞれへ、同じタイミングで制御指令が送信される。一方、監視ＩＣ２１ａ〜ｄのそれぞれから制御マイコン１１への送信経路は、スター型の送信経路になっている。
【００４３】
第２実施形態においても、フォトカプラ３４ａ〜ｄ，３５ａ〜ｄは、それぞれが接続する互いに異なる２つの回路を搭載した基板のうち、受信側となる回路を搭載した基板に設置されている。そのため、第２実施形態においても、大きな電流が流れる送信側の配線が２つの基板を跨いで長くなり、小さな電流が流れる受信側の配線が短くなる。また、フォトカプラ３４ａ〜ｄ，３５ａ〜ｄへの電源用配線が、２つの基板を跨がない。さらに、低電圧部の制御マイコン１１と高電圧部の監視ＩＣ２１ａ〜ｄとの間において、フォトカプラ３４ａ〜ｄ，３５ａ〜ｄを介してシリアル通信が行われるため、低電圧部と高電圧部とが絶縁される。
【００４４】
制御マイコン１１が、監視ＩＣ２１ａ〜ｄへフォトカプラ３４ａ〜ｄを介して電圧送信指令を送信すると、監視ＩＣ２１ａ〜ｄは、同じタイミングで電圧送信指令を受信する。監視ＩＣ２１ａ〜ｄは、電圧送信指令を受信すると、それぞれが監視している組電池に含まれる複数の電池セルのセル電圧情報を、フォトカプラ３５ａ〜ｄを介して、制御マイコン１１へ送信する。
【００４５】
また、制御マイコン１１は、放電が必要な電池セルがあると判定した場合、放電対象の電池セルを監視する監視ＩＣへ、その監視ＩＣが搭載された基板に設置されたフォトカプラを介して、電池セル放電指令を送信する。
【００４６】
以上説明した第２実施形態によれば、以下の効果を奏する。
【００４７】
・受信側の回路が搭載された基板に設置されたフォトカプラを用いて、制御マイコン１１と監視ＩＣ２１ａ〜ｄとの間のシリアル信号の送受信を行うことにより、部品点数、基板面積及びコストの増大を抑制できるとともに、ノイズ耐性を高くできる。また、少ない部品数且つ低コストで、低電圧部と高電圧部間の絶縁された通信を実現できる。
【００４８】
・監視ＩＣ２１ａ〜ｄのそれぞれの基準電位が異なっていても、監視ＩＣ２１ａ〜ｄは、同一タイミングで制御マイコン１１から制御指令を受信することができる。そのため、監視ＩＣ２１ａ〜ｄ間で、同期を取ることが可能となり、各組電池の制御性を向上させることができる。
【００４９】
（他の実施形態）
本発明は上記各実施形態の記載内容に限定されず、以下のように変更して実施してもよい。
【００５０】
・上記各実施形態では、全てのシリアル通信にフォトカプラを用いているが、必ずしも全てのシリアル通信にフォトカプラを用いなくてもよい。いずれかのシリアル通信にフォトカプラを用いれば、全てのシリアル通信にフォトカプラを用いた場合ほどではないが、部品点数及びコストの増大を抑制できるとともに、ノイズ耐性を高くできる。
【００５１】
・第１実施形態において、制御マイコン１１と監視ＩＣ２１ａ，ｄ間のシリアル通信にのみフォトカプラを用いて、異なる監視ＩＣ間のシリアル通信には、フォトカプラ以外を用いてもよい。このようにしても、部品点数及びコストの増大を抑制して、低電圧部と高電圧部間の絶縁された通信を実現できるとともに、ノイズ耐性を高くできる。なお、異なる監視ＩＣ間のシリアル通信には、例えば、カップリングコンデンサを用いることができる。
【００５２】
・絶縁素子は、フォトカプラに限らず、出力側に比べて入力側に電流を多く流す絶縁素子であればよい。例えば、一対の磁気コイルによって信号を伝達するデジタルアイソレータでもよい。
【００５３】
・監視ＩＣ２１ａ〜ｄは、電池セルのセル電圧だけでなく、電池セルを流れる電流や電池セルの温度を監視してもよい。
【００５４】
・監視ＩＣ２１ａ〜ｄは、それぞれ複数の組電池の状態を監視してもよい。
【符号の説明】
【００５５】
１０…制御基板、１１…制御マイコン、２０ａ〜ｄ…監視基板、２１ａ〜ｄ…監視ＩＣ、３１，３２，３３ａ〜ｃ，３４ａ〜ｄ，３５ａ〜ｄ…フォトカプラ。
【図１】
2015079649.tif 000003
【図２】
2015079649.tif 000004